(57)【要約】【課題】、ストーマ袋のカバーを購入するには患者の費用負担が大きい場合があり、また現在販売されているカバーでは装着が困難であることから、患者の視点に立ち、安価及び簡易な手段でストーマ袋の中身を見えなくする手段を提供すること。【解決手段】ストーマ袋用貼り付けシートが、ストーマ袋の正面と同じもしくはそれより小さく、表面が肌色をしており、ストーマ袋に粘着可能であることからなる。また、ストーマ袋用貼り付けシートが、剥離シートに粘着していることからなる。【選択図】図２
0003157339.tif 000002
【実用新案登録請求の範囲】
【請求項１】
ストーマ袋の正面と同じもしくはそれより小さく、
表面が肌色をしており、ストーマ袋に粘着可能であることを特徴とするストーマ袋用貼り付けシート。
【請求項２】
ストーマ袋用貼り付けシートが、剥離シートに粘着していることを特徴とする請求項１に記載のストーマ袋用貼り付けシート。
【考案の詳細な説明】
【技術分野】
【０００１】
本考案は、ストーマ袋を体に装着した後、ストーマ袋に貼り付けることができる貼り付けシートに関する。
【背景技術】
【０００２】
ストーマは、消化管や尿路の疾患などにより腹部に便を排泄するために増設された排泄口のことであり、排泄物は合成樹脂で構成されるストーマ袋に溜められる。このストーマ袋は、袋と面板から構成されている。袋の入口側の孔部が面板の一方の面に固定され、この面板には接着性のある皮膚保護剤が塗布され、ストーマ周囲に接着することで、ストーマ袋が腹部に固定保持される。
【０００３】
袋の下部には開口部が備わっており、溜まった排泄物を排出又は開口部からガスを抜くことができるものと、開口部を備えず使い捨てできるものがある。このような袋及び面板とからなるストーマ袋には、袋と面板とが一体的に固着されたワンピース型と、袋が面板に対し着脱交換可能なツーピース型の２種類が存在している。
【０００４】
そして、ストーマ袋のうち、面板と逆側の面、言い換えれば装着した時に他人から見える側の面（この面をストーマ袋の正面とする。）は、透明又は半透明となっている。ストーマ袋はストーマにしっかりと装着されなければならないが、体に取り付ける際に正面側からストーマ及びストーマ袋のストーマ装着部をよく見えるようにしておく必要があるからである。
【０００５】
このように、ストーマ袋の正面は透明又は半透明であるが、その結果、排泄物が溜まった状態では外観を悪化させ、患者の心労が増し、精神安定上好ましくない。またストーマ袋の付け心地についても向上の余地がある。
そこで、ストーマ袋に装着されるカバーが使用される場合がある（例えば特許文献１参照）。
【０００６】
しかしながら、ストーマ袋のカバーを購入するには患者の費用負担が大きい場合があり、また現在販売されているカバーでは装着が困難であった。そのため、現時点では患者の視点に立ち、安価かつ簡易な手段でストーマ袋の中身を見えなくする手段が全く存在せず、患者からそのような手段の開発が切に望まれていた。
【先行技術文献】
【特許文献】
【０００７】
【特許文献１】特開２００９−２５４７１９号公報
【考案の概要】
【考案が解決しようとする課題】
【０００８】
そこで、本考案の目的は、患者の視点に立ち、安価及び簡易な手段でストーマ袋の中身を見えなくする手段を提供することを目的とする。
【課題を解決するための手段】
【０００９】
当該目的を達成するため、本考案のストーマ袋用貼り付けシートは、
ストーマ袋の正面と同じもしくはそれより小さく、表面が肌色をしており、
ストーマ袋に粘着可能であることからなる。
【００１０】
また、ストーマ袋用貼り付けシートが、剥離シートに粘着していることからなる。
【００１１】
本考案のストーマ袋用貼り付けシートは、ストーマ袋の正面の透明部分を隠すことが主目的であるため、ストーマ袋の正面と同じもしくはそれより小さく、現在販売されているものの形状からして、通常は略卵形をしているが、これに限られるものではない。
そして、ストーマ袋に粘着可能であることからなる。
【００１２】
ストーマ袋用貼り付けシートの表面は肌色をしており、体との色の差が少ないため、ストーマ袋の正面の透明部分を隠すのに最も適している。
なお、肌色とは、橙、及び赤みがかった黄色を意味する。色相、彩度、明度の三つの成分からなる色空間であるＨＳＶ表色系においては、Ｓ（彩度）値及びＶ（明度）値にかかわらず、Ｈ（色相値）が6〜４０の範囲に入るものをいう。
【００１３】
ストーマ袋用貼り付けシートはストーマ袋に貼り付けるため、裏面に粘着剤が塗布されている。粘着剤の種類や強度等は、目的に応じて公知の手段から選択することができる。シートの素材は、紙、布、化学繊維など、シート状の素材を使用できる。
また、ストーマ袋用貼り付けシートは、販売時には剥離シートに貼り付けられており、当該剥離シートを剥がして使用する。
【００１４】
また、製造費用が許せば、ストーマ袋用貼り付けシートを伸縮性のある素材で製造したり、公知の方法で消臭及び／又は芳香処理、及び／又は抗菌処理することで、より快適にストーマ袋を使用することができる。ここで、消臭処理とは防臭処理も含む概念である。
【考案の効果】
【００１５】
本考案の以上の構成により、ストーマ袋の使用者は、ストーマ袋を装着した後、ストーマ袋用貼り付けシートをストーマ袋に貼り付けるだけで、ストーマ袋の外観を隠すことが出来、またストーマ袋用貼り付けシートが肌色をしているため、全く目立たず、患者の精神的負担を大きく和らげることができる。また、構造が簡単であるため、安価で製造が可能で、患者の経済的負担を最も軽減することが可能である。
【図面の簡単な説明】
【００１６】
【図１】ストーマ袋を示す図である。
【図２】本考案のストーマ袋用貼り付けシートを正面から見た図である。
【図３】本考案のストーマ袋用貼り付けシートを剥離シートから剥がそうとする図である。
【図４】ストーマ袋の正面にストーマ袋用貼り付けシートを貼り付けた図である。
【考案を実施するための形態】
【００１７】
本考案の実施の形態の一例を図面にしたがって説明する。
【００１８】
図１は、ストーマ袋１を示す図である。ストーマ袋１は、排泄物を入れるための袋２と、面板３から構成されている。この面板３が袋２と一体となっているワンピース型と、面板３が袋２に対し着脱可能なツーピース型の２種類が市販されている。本考案のストーマ袋用貼り付けシート４（図２，３参照）は、いずれの型についても使用可能である。
【００１９】
図２は、本考案のストーマ袋用貼り付けシート４を正面から見た図であり、図３は、本考案のストーマ袋用貼り付けシート４を剥離シート５から剥がそうとする図である。図４はストーマ袋１の正面にストーマ袋用貼り付けシート４を貼り付けた状態を示す図である。
ストーマ袋用貼り付けシート４は、ストーマ袋１の正面と同じもしくはそれよりやや小さく、ストーマ袋の形状に合わせ、略卵形をしている。
そして、表面が肌色をしており、ストーマ袋に粘着可能となっている。また、製造費用が許せば、ストーマ袋用貼り付けシート４には、消臭及び／又は芳香処理、及び／又は抗菌処理がされている。
また、ストーマ袋用貼り付けシート４はストーマ袋１に貼り付けるため、裏面に粘着剤が塗布されており、剥離シート５に粘着している。
使用者は、図３に示すように剥離シート５を剥がして、図４に示すようにストーマ袋１の正面に貼り付ける。
この作業のみで、使用者はストーマ袋１を外から見た場合でも、排泄物を隠すことが可能で、またストーマ袋用貼り付けシート４が肌色に近く目立たない。
さらに、簡易な手段で提供が可能であるため、使用者の経済的負担を最も軽減することとなるものである。
【符号の説明】
【００２０】
１        ストーマ袋
２        袋
３        面板
４        ストーマ袋用貼り付けシート
５        剥離シート
【図１】
0003157339.tif 000003
【図２】
0003157339.tif 000004
【図３】
0003157339.tif 000005
【図４】
0003157339.tif 000006